(57)【要約】【課題】素子基板と処理基板間での高速で信頼性の高い信号伝送が可能であるとともに、素子基板の揺動の支障となることなく装置の小型化を実現する。【解決手段】被写体光が入射される撮像素子が実装された素子基板１１と、装置本体の振れを検知する振れ検知手段２３と、振れ検知手段２３による振れ情報に基づいて、素子基板１１を前記被写体光の光軸に略垂直な面内で揺動させるブレ補正ユニット１０と、素子基板１１と所定の第１方向（Ｘ方向）に離れて配置された処理基板２１と、素子基板１１と処理基板２１とを電気的に接続するための複数の線状導電部材３１を平面状に並べて配列してなる配線部材３０と、配線部材３０の素子基板１１に接続される一方の端部３２における線状導電部材３１の配列方向と、配線部材３０の処理基板２１に接続される他方の端部３３における線状導電部材３１の配列方向とが、それぞれ第１方向に沿っている。【選択図】図２
2010107788.tif 000002
【特許請求の範囲】
【請求項１】
被写体光が入射される撮像素子が実装された素子基板と、
装置本体の振れを検知する振れ検知手段と、
前記振れ検知手段による振れ情報に基づいて、前記素子基板を前記被写体光の光軸に略垂直な面内で揺動させるブレ補正ユニットと、
前記素子基板と所定の第１方向に離れて配置された処理基板と、
前記素子基板と前記処理基板とを電気的に接続するための複数の線状導電部材を平面状に並べて配列してなる配線部材とを備え、
前記配線部材の前記素子基板に接続される一方の端部における前記線状導電部材の配列方向と、該配線部材の前記処理基板に接続される他方の端部における前記線状導電部材の配列方向とが、それぞれ前記第１方向に概略沿っていることを特徴とする撮像装置。
【請求項２】
前記素子基板と前記処理基板とは、略同一面内において前記第１方向に隣接配置されていることを特徴とする請求項１に記載の撮像装置。
【請求項３】
前記線状導電部材のそれぞれは、同軸ケーブルであることを特徴とする請求項１又は２に記載の撮像装置。
【請求項４】
前記配線部材は、該配線部材の前記一方の端部における前記線状導電部材の配列方向に長手方向を有する略長方形をなすとともに、前記素子基板に着脱可能に接続される第１接続部材と、該配線部材の前記他方の端部における前記線状導電部材の配列方向に長手方向を有する略長方形をなすとともに、前記処理基板に着脱可能に接続される第２接続部材とを有することを特徴とする請求項１〜３の何れか一項に記載の撮像装置。
【請求項５】
前記第１接続部材は、前記素子基板との接続部が、前記線状導電部材の前記配列に係る平面に対して略直交する方向を指向して設けられ、
前記第２接続部材は、前記処理基板との接続部が、前記線状導電部材の前記配列に係る平面に対して略直交する方向であって、前記第１接続部材の前記接続部と逆向きを指向して設けられたことを特徴とする請求項４に記載の撮像装置。
【請求項６】
前記配線部材は、その中間部分において、略１８０度捩られた状態で、前記第１接続部材及び前記第２接続部材のそれぞれの長手方向が前記第１方向に略一致するように配置されたことを特徴とする請求項５に記載の撮像装置。
【請求項７】
前記配線部材として、互いに略同一の構成を有する第１配線部材及び第２配線部材を設け、該第１配線部材及び該第２配線部材を、前記第１方向に平行な仮想線に対して互いに対象に配置したことを特徴とする請求項１〜６の何れか一項に記載の撮像装置。
【請求項８】
前記ブレ補正ユニットは、
固定支持部材と、
前記固定支持部材上に、前記被写体光の光軸に略垂直な平面であって前記第１方向に略直交する第２方向に移動可能に支持された第２方向移動部材と、
前記第２方向移動部材上に、前記第１方向に移動可能に支持され、前記素子基板を支持する第１方向移動部材と、
前記第１方向移動部材を前記第１方向に駆動する第１駆動手段と、
前記第２方向移動部材を前記第２方向に駆動する第２駆動手段と、
を備えることを特徴とする請求項１〜７の何れか一項に記載の撮像装置。
【発明の詳細な説明】
【技術分野】
【０００１】
本発明は、デジタルカメラ等の撮像装置に関し、特に、撮像素子シフト方式の手ブレ補正機能を備える撮像装置に関する。
【背景技術】
【０００２】
加速度センサ等の振動検出センサで手ブレを感知し、ＣＣＤなどの撮像素子（イメージセンサ）を、撮影光学系の光軸と直交する面内で揺動（シフト）させることによって、該手ブレを補正する撮像素子シフト方式の手ブレ補正機構を搭載したデジタルカメラが知られている（例えば、下記特許文献１参照）。
【０００３】
撮像素子が実装された素子基板は、撮影光学系の光軸と直交する面内でアクチュエータによって２軸方向に揺動可能とされ、振動検出センサからの検出値に応じて、該アクチュエータを駆動することによって、被写体の像と撮像面との相対位置関係を一定に保つようにしたものである。
【０００４】
撮像素子が実装された素子基板と、制御回路や画像処理回路等が実装された処理基板との電気的な接続には、下記特許文献２に開示されているように、可撓性を有する帯状のフレキシブル配線基板が用いられている。
【０００５】
フレキシブル配線基板は、その一端が素子基板と処理基板との配置の方向に略直交する方向に沿って素子基板に接続され、他端が同じく素子基板と処理基板との配置の方向に略直交する方向に沿って処理基板に接続され、素子基板の当該２軸方向の揺動に追従して変形できるように、その中間部分が該素子基板と処理基板との間の部分であって、素子基板と処理基板の板面に対して直交する側の部分に画成された空間部に湾曲した状態（撓ませた状態）で収納されている。
【０００６】
ここで、フレキシブル配線基板では信号の劣化やノイズの影響を受け易いことから、画像信号電送速度や画像処理速度の高速化に対応した高品質な信号電送を行うために、フレキシブル配線基板に代えて、シールドケーブル（同軸ケーブル）を採用することが考えられる。シールドケーブルはグランド（接地）された金属線で信号線を覆い、外部の環境から電気的に隔離することで、信号の歪み等の原因となる外部からの電磁気干渉を防ぎ、伝送される信号データの信頼性を維持することができる。
【０００７】
シールドケーブルは、信号線（内部導体）を中心として、絶縁部、シールド線（外部導体）、及び被覆部（シース）からなり、カメラヘの組み込みにあたっては、シールドケーブルを数本から数十本を並設して、その両端にコネクタを配置したコネクタ付きシールドケーブル（配線部材）として使用することができる。
【０００８】
しかしながら、このような複数のシールドケーブルからなる配線部材は、フレキシブル配線基板と比較して、その剛性が高くなり、フレキシブル配線基板と同じ屈曲半径とした場合には屈曲時の反力により素子基板に対する負荷が増大する。
【０００９】
従って、配線接続時のシールドケーブルの屈曲に伴う負荷を軽減するために、特許文献２で提案された構成に適用する場合には、シールドケーブルを撓ませて収納するための空間部を大きく確保する必要があり、カメラの大型化を招くことになる。
【００１０】
本発明はこのような点に鑑みてなされたものであり、素子基板と処理基板間での高速で信頼性の高い信号伝送が可能であるとともに、素子基板の揺動の支障となることを抑制しつつ、装置の小型化を図ることを目的とする。
【００１１】
【特許文献１】特開２００５−２１０３１９号公報
【特許文献２】特開２００６−８１００６号公報
【発明の開示】
【課題を解決するための手段】
【００１２】
この項の説明では、後述する実施形態を表す図面に示す部材等を示す符号を括弧を付して付記するが、これは単に理解の容易化のためであり、本発明の各構成要件は、これら部材等を示す符号を付した図面に示す部材等に限定されるものではない。
【００１３】
本発明の撮像装置は、被写体光が入射される撮像素子（４）が実装された素子基板（１１）と、装置本体の振れを検知する振れ検知手段（２３）と、前記振れ検知手段による振れ情報に基づいて、前記素子基板を前記被写体光の光軸（ＡＸ）に略垂直な面（Ｘ−Ｙ平面）内で揺動させるブレ補正ユニット（１０）と、前記素子基板と所定の第１方向（Ｘ方向）に離れて配置された処理基板（２１）と、前記素子基板と前記処理基板とを電気的に接続するための複数の線状導電部材（３１，４１）を平面状に並べて配列してなる配線部材（３０，４０）とを備え、前記配線部材の前記素子基板に接続される一方の端部（３２，４２）における前記線状導電部材の配列方向と、該配線部材の前記処理基板に接続される他方の端部（３３，４３）における前記線状導電部材の配列方向とが、それぞれ前記第１方向に概略沿っていることを特徴とする。
【発明の効果】
【００１４】
本発明によれば、複数の線状導電部材を平面状に並べて配列してなる配線部材により素子基板と処理基板とを電気的に接続するようにしたので、従来のフレキシブル配線基板による接続と比較して、素子基板と処理基板間での高速で信頼性の高い信号伝送が可能になるとともに、配線部材の素子基板に接続される一方の端部における線状導電部材の配列方向と、配線部材の処理基板に接続される他方の端部における線状導電部材の配列方向とが、素子基板と処理基板の配置の方向（第１方向）に概略沿っているので、従来技術のように素子基板と処理基板との間に撓ませた状態で収納するための空間部を画成しなくても、配線部材を適宜に撓ませた状態で配置することが可能となり、素子基板の揺動の支障となることを抑制しつつ、装置の小型化を図ることができる。
【発明を実施するための最良の形態】
【００１５】
以下、本発明の実施形態について、図面を参照して詳細に説明する。
【００１６】
図１は本発明の実施形態に係る撮像装置としてのデジタルカメラの概略を示す断面図、図２は同じく要部を拡大した背面図である。図３〜図７は同じくコネクタ付きシールドケーブルの構成を示す図である。なお、以下の説明では、便宜的に、撮影レンズ２の光軸ＡＸに沿う方向（図１において、左右方向）をＺ方向とし、光軸ＡＸに垂直な平面内において、カメラ１の左右方向（水平方向、図１において上下方向）を第１方向としてのＸ方向と、カメラ１の上下方向（垂直方向、図１において紙面に垂直な方向）を第２方向としてのＹ方向として説明する。
【００１７】
この実施形態のカメラ１は、コンパクトタイプのデジタルカメラである。但し、これに限定されず、一眼レフ方式のデジタルカメラ、その他の方式のデジタルカメラであってもよい。また、静止画を撮像可能なカメラにも限られず、動画を撮像可能なデジタルビデオカメラであってもよい。撮像装置は、その名称に限定されることもなく、携帯電話機やＰＤＡ等の静止画及び／又は動画の撮像が可能な撮像機能を備えるあらゆる電子装置等が含まれる。
【００１８】
カメラ１にはカメラ筐体３から突出する撮影光学系としての撮影レンズ（レンズ鏡筒）２が設けられ、撮影レンズ２から入射した被写体光が撮像素子４に入射結像される。撮像素子４はＣＣＤやＣＭＯＳ等からなるイメージセンサであり、後述するブレ補正ユニット１０に設けられた撮像回路基板（素子基板）１１に実装されている。
【００１９】
カメラ筐体３の撮影レンズ２の側部には、不図示の電池やコンデンサ等を配置するための格納スペース５が設けられている。格納スペース５の背後には、処理回路基板（処理基板）２１が配置され、処理回路基板２１上には、撮像素子４からの撮像信号を処理する画像処理用集積回路２２、カメラ１の振動を検出する振動検出センサ（振れ検知手段）２３、及び振動検出センサ２３が検出した振動情報（振れ情報）に基づいて制御値を演算してブレ補正ユニット１０を制御駆動するための制御用集積回路２４等が実装されている。振動検出センサ２３は、例えば加速度センサから構成される。
【００２０】
撮像回路基板１１と処理回路基板２１とは、略同一面（Ｘ−Ｙ平面）内において、Ｘ方向に離れて（この実施形態では隣接して）配置されており、処理回路基板２１は、カメラ筐体３内部に設けられた不図示のフレームに固定されており、撮像回路基板１１はブレ補正ユニット１０に揺動可能に支持されている。撮像回路基板１１と処理回路基板２１とは、一対のコネクタ付きシールドケーブル３０，４０により電気的に接続されている。
【００２１】
ブレ補正ユニット１０は、Ｘ方向ステージ（第１方向移動部材）１２、Ｙ方向ステージ（第２方向移動部材）１３、固定支持基板（固定支持部材）１４を備えている。撮像素子４が実装された撮像回路基板１１は、Ｘ方向ステージ１２に搭載されている。Ｘ方向ステージ１２には不図示の開口部が設けられており、該開口部に撮像素子４を配置することにより、撮影レンズ２から入射する被写体光が撮像素子４の撮像面に導かれる構成となっている。
【００２２】
Ｘ方向ステージ１２は、Ｘ方向に沿って貫通する孔部１２ａを有しており、この孔部１２ａにＸ方向案内軸１５が摺動自在に嵌合されることにより、Ｘ方向案内軸１５に沿って摺動可能となっている。Ｘ方向案内軸１５は、その両端がＹ方向ステージ１３に形成された嵌合孔部１３ｂ，１３ｃに嵌合固定されている。
【００２３】
Ｙ方向ステージ１３は、Ｙ方向に沿って貫通する孔部１３ａを有しており、この孔部１３ａにＹ方向案内軸１７が摺動自在に嵌合されることにより、Ｙ方向案内軸１７に沿って摺動可能となっている。Ｙ方向案内軸１７は、その両端が固定支持基板１４に形成された嵌合孔部１４ａ，１４ｂに嵌合固定されている。固定支持基板１４は、カメラ筐体３内部に設けられた不図示のフレームに固定されている。
【００２４】
固定支持基板１４上には、Ｘ方向ステージ１２をＸ方向案内軸１５に沿って往復駆動（揺動）させるためのＸ方向アクチュエータ（第１駆動手段）１６、及びＹ方向ステージ１３をＹ方向案内軸１７に沿って往復駆動（揺動）させるためのＹ方向アクチュエータ（第２駆動手段）１８が配置されている。
【００２５】
Ｘ方向アクチュエータ１６、及びＹ方向アクチュエータ１８と処理回路基板２１とは、配線基板５０によって電気的に接続される構成となっていて、制御用集積回路２４が送る駆動信号によってＸ方向アクチュエータ１６、及びＹ方向アクチュエータ１８を駆動することで、撮像素子４が実装された撮像回路基板１１が適宜に揺動され、ブレ補正動作が行われるようになっている。
【００２６】
撮像回路基板１１と処理回路基板２１とを電気的に接続する配線部材としてのコネクタ付シールドケーブル３０は、図３及び図４に示されているように、線状導電部材としてのシールドケーブル部３１を複数本（例えば、３０〜４０本）、平面状に並べて配列し、その両端にそれぞれコネクタ部（第１接続部材、第２接続部材）３２，３３を配置して構成されている。
【００２７】
各シールドケーブル部３１の長さは、この実施形態では、同一の長さとしている。コネクタ部３２，３３は略長方形となっており、その長手方向はシールドケーブル部３１の配列方向に概略一致している。なお、各シールドケーブル部３１のコネクタ部３２，３３が取り付けられた端部以外の中間部分は互いに分離しており、互いに拘束しない状態となっている。
【００２８】
コネクタ部３２は撮像回路基板１１に実装されたこれと対をなす不図示のコネクタ部に着脱自在に装着され、コネクタ部３３は処理回路基板２１に実装されたこれと対をなす不図示のコネクタ部に着脱自在に装着される。撮像回路基板１１の不図示のコネクタ部、及び処理回路基板２１の不図示のコネクタ部は、それぞれの長手方向がＸ方向に概略沿っており、この実施形態ではＸ方向に略一致して一直線上に配置されている。
【００２９】
コネクタ部３２は、撮像回路基板１１との接続部としての接点部３２ａを有しており、この接点部３２ａはシールドケーブル部３１の配列に係る平面に対して略直交する方向を指向している。また、コネクタ部３３は、処理回路基板２１との接続部としての接点部３３ａを有しており、この接点部３３ａはシールドケーブル部３１の配列に係る平面に対して略直交する方向であって、接点部３２ａと逆向きを指向している。ここでは、コネクタ部３２とコネクタ部３３とは、実質的に同一の構成を有しており、接点部３２ａ，３３ａの指向方向が表裏逆向きに取り付けられた構成となっている。
【００３０】
シールドケーブル部３１としては、図５に示されているように、複数（又は単一）の金属線からなる信号線（内部導体）１０４を絶縁部１０５で覆い、その周囲に複数の金属線からなるシールド線（外部導体）１０６を配置して、その周囲を被覆部（シース）１０７で被覆することにより構成される同軸ケーブルを用いている。
【００３１】
シールド線１０６をグランド（接地）することにより、信号線１０４を外部の環境から電気的に隔離することができ、信号線１０４を伝送される信号の歪み等の原因となる外部からの電磁気的干渉を防ぎ、伝送される信号データの高い信頼性を実現することができる。
【００３２】
なお、線状導電部材としての複数のシールドケーブル部４１の両端にそれぞれコネクタ部４２，４３を取り付けてなるコネクタ付きシールドケーブル４０は、コネクタ付きシールドケーブル３０と同一の構成を有しているものとし、その説明は省略する。
【００３３】
このように構成されたコネクタ付きシールドケーブル３０は、図６及び図７に示されるように、その中間部分において、各シールドケーブル部３１が略同一の曲率の半円弧形状となるように、略１８０度湾曲されるとともに、略１８０度捩られた状態で、図２に示されるように、コネクタ部３２が撮像回路基板１１の対応するコネクタ部に、コネクタ部３３が処理回路基板２１の対応するコネクタ部に接続される。
【００３４】
これにより、コネクタ部３２とコネクタ部３３とはそれぞれの長手方向がＸ方向に略一致して一直線上に配置されるとともに、各シールドケーブル部３１は緩やかな撓みが与えられた状態で、撮像回路基板１１及び処理回路基板２１に接続固定される。コネクタ付きシールドケーブル４０も同様に、コネクタ部４１が撮像回路基板１１の対応するコネクタ部に、コネクタ部４２が処理回路基板２１の対応するコネクタ部に接続固定される。
【００３５】
コネクタ付きシールドケーブル３０と、コネクタ付きシールドケーブル４０とは、Ｘ方向に平行な仮想線（図２において、符号Ｌで表示）に対して互いに対称に配置、即ち、コネクタ付きシールドケーブル３０は＋Ｙ方向に突出するように撓み、コネクタ付きシールドケーブル４０は−Ｙ方向に突出するように撓んだ状態で取り付けられている。
【００３６】
これと逆に、コネクタ付きシールドケーブル３０を−Ｙ方向に突出するように撓ませ、コネクタ付きシールドケーブル４０を＋Ｙ方向に突出するように撓ませた状態で取り付けるようにしてもよい。なお、コネクタ付きシールドケーブル３０，４０は、特に限定はされないが、図２、図６及び図７に示したように湾曲させられた状態が自然状態、即ち、外部から力が作用しない状態においてそのような形状を保持するように構成されることが望ましい。
【００３７】
本実施形態によると、揺動される撮像回路基板１１と固定された処理回路基板２１との電気的な接続を、上述したような構成を有するコネクタ付きシールドケーブル３０，４０を用い、上述したような配置で行うようにしたので、撮像回路基板１１の動きを阻害することが少ないとともに、撮像回路基板１１と処理回路基板２１との間に従来技術のような比較的に大きい空間部を設ける必要がないので、より小型化を図ることができる。
【００３８】
加えて、コネクタ付きシールドケーブル３０，４０を構成する各シールドケーブル部３１，４１は同軸ケーブルを用いているので、高速で且つ信頼性の高い信号伝送が可能である。
【００３９】
また、コネクタ付きシールドケーブル３０と、コネクタ付きシールドケーブル４０とを、Ｘ方向に平行な仮想線（図２において、符号Ｌで表示）に対して互いに対称に配置したので、撮像回路基板１１のＹ方向の揺動に対する、各コネクタ付きシールドケーブル３０，４０による抵抗がバランスされ、撮像回路基板１１の円滑な動作が可能である。
【００４０】
ところで、上述した実施形態では、撮像回路基板１１を支持するＸ方向ステージ１２をＹ方向ステージ１３に支持させるようにしたが、これと逆に、撮像素子４が実装された撮像回路基板１１をＹ方向ステージ１３に支持し、Ｙ方向ステージをＸ方向ステージ１２に支持させる構成としてもよい。
【００４１】
但し、各アクチュエータ１６，１８に対する負荷が分散されるという観点からは、上述した実施形態のように、撮像回路基板１１を支持するＸ方向ステージ１２をＹ方向ステージ１３に支持させる方が好ましい。このように構成すると、Ｘ方向アクチュエータ１６として各コネクタ付きシールドケーブル３０，４０からのＸ方向の反力とＸ方向ステージ１２（撮像素子４及び撮像回路基板１１等を含む）の荷重に対応した駆動力のものを、Ｙ方向アクチュエータ１８として、Ｘ方向ステージ１２（撮像素子４及び撮像回路基板１１等を含む）の荷重とＹ方向ステージ１３の荷重とに対応した駆動力のものを採用することができ、Ｘ方向アクチュエータ１６への負荷とＹ方向アクチュエータ１８への負荷とをバランスさせることができるからである。
【００４２】
一方、撮像素子４が実装された撮像回路基板１１をＹ方向ステージ１３に支持し、Ｙ方向ステージ１３をＸ方向ステージ１２に支持させる構成とすると、Ｘ方向アクチュエータ１６として各コネクタ付きシールドケーブル３０，４０からのＸ方向の反力とＹ方向ステージ１２（撮像素子４及び撮像回路基板１１等を含む）の荷重とＸ方向ステージ１３の荷重に対応した駆動力のものを、Ｙ方向アクチュエータ１８として、Ｙ方向ステージ１３（撮像素子４及び撮像回路基板１１等を含む）の荷重に対応した駆動力のものを採用することになり、Ｘ方向アクチュエータ１２への負荷がＹ方向アクチュエータ１３への負荷に対して大きくなるからである。
【００４３】
なお、上述した実施形態では、コネクタ付きシールドケーブル３０の一方の端部のコネクタ部３２の長手方向（シールドケーブル部３１の端部における配列方向）と、他方の端部のコネクタ部３３の長手方向（シールドケーブル部３１の端部における配列方向）とを、Ｘ方向に略一致させて一直線上に配置するものとしたが、一方のコネクタ部３２の長手方向と他方のコネクタ部３３の長手方向は、それぞれＸ方向に略一致していればよく、一方のコネクタ部３２と他方のコネクタ部３３とがＹ方向に位置が異なっていてもよい。
【００４４】
また、一方のコネクタ部３２の長手方向と他方のコネクタ部３３の長手方向とは、それぞれがＸ方向に必ずしも一致していなくてもよく、Ｘ方向に概略沿っていればよい。ここで、「Ｘ方向に概略沿っている」とはＸ方向に対してある程度の角度（±４５度程度以内の角度）をもって斜交していてもよいことを意味する。この場合において、一方のコネクタ部３２の長手方向と他方のコネクタ部３３の長手方向とが、互いに略平行な状態でＸ方向に斜交していても、ハの字状又は逆ハの字状に配置された状態でＸ方向に斜交していてもよい。
【００４５】
さらに、上述した実施形態では、コネクタ付きシールドケーブル３０をその中間部分を半円弧状に１８０度湾曲させた状態で更に１８０度捩って配置したものを例示したが、捩りを加えずに半円弧状に湾曲させた状態で用いてもよい。この場合には、コネクタ付きシールドケーブル３０を構成する各シールドケーブル部３１の長さは、上述と同様に同じ長さでもよいし、湾曲時に内側となるものを外側のものよりも順次短くなるようにしてもよい。
【００４６】
また、コネクタ付きシールドケーブル３０の捩り角度は、３６０度、５４０度等であってもよい。コネクタ付きシールドケーブル３０を捩らないで、又は３６０度捩って用いる場合には、図８及び図９に示すように、コネクタ部３２，３３に設けられる接続部３２ａ，３３ａの指向方向を同じ向きとする。上述した各種の変形例は、コネクタ付きシールドケーブル４０についても同様に適用することができる。
【００４７】
なお、以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【図面の簡単な説明】
【００４８】
【図１】本発明の実施形態のデジタルカメラの全体構成を示す水平面で切断した断面図である。
【図２】本発明の実施形態のデジタルカメラの要部構成を示す背面図である。
【図３】本発明の実施形態のコネクタ付きシールドケーブルの撓み及び捩りを与えない状態における平面図である。
【図４】本発明の実施形態のコネクタ付きシールドケーブルの撓み及び捩りを与えない状態における側面図である。
【図５】本発明の実施形態のコネクタ付きシールドケーブルの拡大断面図である。
【図６】本発明の実施形態のコネクタ付きシールドケーブルの撓み及び捩りを与えた状態における側面図である。
【図７】本発明の実施形態のコネクタ付きシールドケーブルの撓み及び捩りを与えた状態における平面図である。
【図８】本発明の実施形態の他のコネクタ付きシールドケーブルの側面図である。
【図９】本発明の実施形態の他のコネクタ付きシールドケーブルの平面図である。
【符号の説明】
【００４９】
１…デジタルカメラ、２…撮影レンズ、３…カメラ筐体、４…撮像素子、１０…ブレ補正ユニット、１１…撮像回路基板、１２…Ｘ方向ステージ、１３…Ｙ方向ステージ、１４…固定支持基板、１５…Ｘ方向案内軸、１６…Ｘ方向アクチュエータ、１７…Ｙ方向案内軸、１８…Ｙ方向アクチュエータ、２１…処理回路基板、２２…画像処理用集積回路、２３…振動検出センサ、２４…制御用集積回路、３０，４０…コネクタ付きシールドケーブル、３１，４１…シールドケーブル部、３２，３３，４２，４３…コネクタ部、３２ａ，３３ａ…接点部、１０４…信号線、１０５…絶縁部、１０６…シールド線、１０７…被覆部、ＡＸ…光軸。
【図１】
2010107788.tif 000003
【図２】
2010107788.tif 000004
【図３】
2010107788.tif 000005
【図４】
2010107788.tif 000006
【図５】
2010107788.tif 000007
【図６】
2010107788.tif 000008
【図７】
2010107788.tif 000009
【図８】
2010107788.tif 000010
【図９】
2010107788.tif 000011